(57)【要約】【課題】本発明は粘着テープに切り裂き糸を貼着させるとともに、該粘着テープの切断部に切り裂きを容易にするためのつまみ片を形成することにより、手軽にかつ簡易にダンボール箱等を開ける作業を行うことができる粘着テープカッターを得るにある。【解決手段】粘着テープを回転可能に取り付けることができる粘着テープ保持体と、この粘着テープ保持体に設けられた、粘着テープの繰り出し方向の粘着面に切り裂き用の糸を供給することができる切り裂き糸供給手段と、この切り裂き糸供給手段から供給された切り裂き糸を貼り付けた粘着テープを切断することができるとともに、該粘着テープの切断部のうち、前記切り裂き糸が貼り付けられた部分につまみ片となるように切り込みを入れることができるカッター部とで構成している。【選択図】図１
2006117327.tif 000002
【特許請求の範囲】
【請求項１】
粘着テープを回転可能に取り付けることができる粘着テープ保持体と、この粘着テープ保持体に設けられた、粘着テープの繰り出し方向の粘着面に切り裂き用の糸を供給することができる切り裂き糸供給手段と、この切り裂き糸供給手段から供給された切り裂き糸を貼り付けた粘着テープを切断することができるとともに、該粘着テープの切断部のうち、前記切り裂き糸が貼り付けられた部分につまみ片となるように切り込みを入れることができるカッター部とからなることを特徴とする粘着テープカッター。
【請求項２】
粘着テープを回転可能に取り付けることができる粘着テープ保持体と、この粘着テープ保持体に設けられた、粘着テープの繰り出し方向の粘着面の中央部あるいは略中央部に切り裂き糸を供給することができる切り裂き糸供給手段と、この切り裂き糸供給手段から供給された切り裂き糸を貼り付けた粘着テープを切断することができるとともに、該粘着テープの切断部のうち、前記切り裂き糸が貼り付けられた部分に、対向する二つのつまみ片となるように切り込みを入れることができるカッター部と、このカッター部と前記切り裂き糸供給手段に介装された、前記粘着テープの一方のつまみ片形成部の近傍に第１の切り裂き用のガイド孔を切り込むことができる第１のガイド孔形成手段と、前記粘着テープの他方のつまみ片形成部の近傍に第２の切り裂き用のガイド孔を切り込むことができる、あるいは任意の途中部位に第３の切り裂き用のガイド孔を切り込むことができる第２のガイド孔形成手段とからなることを特徴とする粘着テープカッター。
【発明の詳細な説明】
【０００１】
【発明の属する技術分野】  本発明はダンボール箱等の荷造り等に用いられる粘着テープカッターに関する。
【０００２】
【従来の技術】
従来、ダンボール箱で荷造りする際、開閉部に所定の長さに切った粘着テープを貼り付けて封緘しているが、かかる作業は、粘着テープを回転可能に保持する保持体にカッター部が設けられた粘着テープカッターを用いて作業したり、単に粘着テープとカッターナイフ等を用いて行っている。
【０００３】
【発明が解決しようとする課題】
従来の作業は、ダンボール箱に粘着テープを貼り付けるだけであるので、封緘されたダンボール箱を開ける際、指で粘着テープをきれいに剥がしきれず、手間取るという欠点があり、カッターナイフ等の刃物を使用することが多いが、うまく直線状に切れず、浅かったり、深く切り過ぎて中身の商品まで傷つけたり、不注意で怪我をする危険性があるため、手軽に効率よく開口作業ができないという欠点があった。
【０００４】
本発明は以上のような従来の欠点に鑑み、粘着テープに切り裂き糸を貼着させるとともに、該粘着テープの切断部に切り裂きを容易にするためのつまみ片を形成することにより、手軽にかつ簡易にダンボール箱等を開ける作業を行うことができる粘着テープカッターを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は粘着テープを回転可能に取り付けることができる粘着テープ保持体と、この粘着テープ保持体に設けられた、粘着テープの繰り出し方向の粘着面に切り裂き用の糸を供給することができる切り裂き糸供給手段と、この切り裂き糸供給手段から供給された切り裂き糸を貼り付けた粘着テープを切断することができるとともに、該粘着テープの切断部のうち、前記切り裂き糸が貼り付けられた部分につまみ片となるように切り込みを入れることができるカッター部とで粘着テープカッターを構成している。
【０００７】
【発明の実施の形態】
以下、図面に示す実施の形態により、本発明を詳細に説明する。
【０００８】
図１ないし図２１に示す本発明の第１の実施の形態において、１は手軽にかつ簡易にダンボール箱等を開ける作業を行うことができる本発明の粘着テープカッターで、この粘着テープカッター１は、粘着テープ２を回転可能に取り付けることができる保持部３が形成された粘着テープ保持体４と、この粘着テープ保持体４に設けられた、粘着テープ２の繰り出し方向の粘着面２ａの中央部あるいは略中央部に切り裂き糸５を供給することができる切り裂き糸供給手段６と、この切り裂き糸供給手段６から供給された切り裂き糸５を貼り付けた粘着テープ２Ａを切断することができるとともに、該粘着テープ２Ａの切断部のうち、前記切り裂き糸５が貼り付けられた部分に、対向する二つのつまみ片７、８となるように切り込み９を入れることができるカッター部１０と、このカッター部１０と前記切り裂き糸供給手段６に介装された、前記粘着テープ２Ａの一方のつまみ片７形成部の近傍に第１の切り裂き用のガイド孔１１、１１を切り込むことができる第１のガイド孔形成手段１２と、前記粘着テープ２Ａの他方のつまみ片８形成部の近傍に第２の切り裂き用のガイド孔１３、１３、１３、１３を切り込むことができる、あるいは任意の途中部位に第３の切り裂き用のガイド孔１４、１４、１４、１４を切り込むことができる第２のガイド孔形成手段１５とで構成されている。
【０００９】
前記粘着テープ保持体４は、図１ないし図６に示すように、粘着テープ２の一方の側面部位に配設される板状のベース体１６と、このベース体１６の後方部に一体形成あるいは固定された、前記粘着テープ２を着脱可能に取り付けることができるとともに、回転可能で抜け脱しないように保持することができる筒状の保持部３と、前記ベース体１６の前方部に一体形成あるいは固定された、カッター部１０、第２のガイド孔形成手段１５をそれぞれ支持する、粘着テープ２の幅寸法よりも若干大きい幅寸法で形成された板状の支持体１７と、この支持体１７の外側部を覆うように該支持体１７に接着剤等で固定して取り付けられた側部カバー板１８と、前記支持体１７の下端部に形成されたガイドローラー１９とで構成されている。なお、前記粘着テープ本体４のガイドローラー１９の下方部には、前記粘着テープ２Ａの繰り出しをガイドするガイド片２０、２０が一体形成されている。
また、本発明の実施の形態において、前記粘着テープ保持体４は板状のベース体１６に筒状のテープ保持体１７を一体形成あるいは固定したものについて説明したが、本発明はこれに限らず、ドラム状のテープ保持体をベース体に回転可能に取り付けるように構成してもよい。
【００１０】
前記切り裂き糸供給手段６は、図７および図８に示すように、前記ベース体４の粘着テープ２が繰り出される側の下方部に固定された軸２１と、この軸２１に回転可能に取り付けられた切り裂き糸５が巻かれたボビンケース２２と、このボビンケース２２を収納するように前記軸２１に回転可能に取り付けられるとともに、中央部に切り裂き糸５を繰り出すための隙間２３を形成した、外周部に粘着テープ２（２Ａ）が貼り付いても容易に剥がすことができるようにするための複数の凹凸部２４が形成された分割された略円筒状のガイド体２５Ａ、２５Ｂと、このガイド体２５Ａ、２５Ｂの下方部および前後の下方部を覆うように前記ベース体１６に一体形成あるいは固定されたカバー体２６と、このカバー体２６の外側部に前記ガイド体２５Ａの側面を覆うように上下方向に回動可能に取り付けられた支持カバー板２７とで構成されている。なお、前記ボビンケース２２の切り裂き糸５がなくなった場合は、支持カバー体２７を下方に回動させて外側のカバー体２５Ａを取り外して、ボビンケースを２２を取り外し、切り裂き糸５が充填されたボビンケース２２と交換する。
【００１１】
前記カッター部１０は、図９および図１０に示すように、前記支持体１７の下端部中央部に接着剤等で取り付けられた固定体１０ａに設けられた、両側部が鈍角状に突出した略Ｈ字状に形成され、切り裂き糸５が貼り付けられた粘着テープ２Ａの略中央部を切断するとともに、該切断部のうち、粘着テープ２（２Ａ）の巻き回り方向および繰り出し方向に、それぞれ対向する二つのつまみ片７、８が形成されるように切り込み９を入れることができるつまみ片形成カッター２８と、このつまみ片形成カッター２８の両側部に設けられた、前記粘着テープ２Ａのつまみ片７、８を除く両側部を切断することができる鋸歯状のカッター２９、２９とで構成されている。このカッター部１０で形成された対向する二つのつまみ片７、８（図１６等参照）のうち、巻き回り方向側に配された一方のつまみ片７は、ダンボール箱等への貼り付け時の次の始点側となり、繰り出し方向側に配された他方のつまみ片８は、前の貼り付け時における終点側となる。
【００１２】
前記第のガイド孔形成手段１２は、図１１ないし図１３に示すように、前記ベース体１６に固定された２本の支持バー３０、３０に後端部側が支持され、先端側が前記支持体１７の前方に配された後述する押し圧部材３１の押し圧によって下方に回動されることができる板状の弾性体３２と、この弾性体３２の先端部に先端が下方に向けられて取り付けられた、該弾性体３２の先端側の下方への回動によって、粘着テープ２Ａの両側部および中央部を除く部位にテープの繰り出し方向（巻き回り方向）と直行する第１の切り裂き用のガイド孔１１、１１を切り込むことができる隙歯状のカッター３３とで構成されている。この第１のガイド孔形成手段１２で形成される第１の切り裂き用のガイド孔１１、１１は、図１９に示すように、一方のつまみ片７の近傍に配されるように形成され、該つまみ片７をつまんで粘着テープ２Ａを切り裂いてダンボール荷等を開ける際、切り裂きが前記粘着テープ２Ａの所定部位、本実施の形態では略中央部でなされるためのガイドとして作用する。
【００１３】
前記第２のガイド孔形成手段１５は、図１４および図１５に示すように、後端中央部が前記支持体１７の上方後端部に弾性変形する材質、例えば、スプリング３４を介して取り付けられ、先端両側部がベース体本体１６および側部カバー板１８に上下方向に回動可能に取り付けられた板状のカッター保持体３５と、このカッター保持体３５の先端部に形成され、前記支持体１７の上方開口部１７ａより外方に突出するように配設された、繰り出された粘着テープ２Ａの所定部位、本実施の形態では他方のつまみ片８の近傍に前記第１の切り裂き用のガイド孔１１、１１と同様に作用する第２の切り裂き用のガイド孔１３、１３、１３、１３を切り込むことができる隙歯状のカッター３６とで構成されている。
【００１４】
前記押し圧部材３１は、図６に示すように、前記支持体１７の前方および上方を覆うように配設され、下端部が前記ガイドローラー１９に上下方向に回動可能に取り付けられた板状の押し圧部材本体３７と、この押し圧部材本体３７の前記支持体１７の開口部１７ａと対応する部位に形成された、前記第２のガイド孔形成手段１５のカッター３６が外方に突出されることができる第１の開口部３７ａと、前記押し圧部材本体３７の前記カッター部１０と対応する部位に形成された、該カッター部１０が外方に突出されることができる第２の開口部３７ｂと、前記押し圧部材本体３７の第２の開口部３７ｂが形成された背面両側部寄りの部位に一体形成あるいは固定された、前記支持板１７の下方両側部を通過して前記第１のガイド孔形成手段１２の弾性体３２の先端両側部寄りの部位を押し圧することができる押し圧片３８、３８とで構成されている。
【００１５】
この押し圧部材３１は、未使用時は第１のガイド孔形成手段１２の弾性体３２の弾性力によって、上端部が常時上方に回動するように作用するため、前記第２のガイド孔形成手段１５のカッター３６および前記カッター部１０を収納状態にすることができる。そして、使用時には当該押し圧部材３１を上端部を下方に押し圧するように用いることにより、カッター部１０、第のガイド孔形成手段１２のカッター３３および第２のガイド孔形成手段１５のカッター３６を突出させて切断作業等を行うことができる。なお、前記押し圧部材本体３７の上端部が前方に所定以上回動しないようにするために、前記粘着テープ保持体４の前方上方部寄りの両側部および前記押し圧部材本体３７の上端部寄りの部位に対応する両側部に、ストッパー片３９、３９、３９、３９が形成されている。
【００１６】
上記構成の粘着テープカッター１は、まず、粘着テープ２を取り付けて使用する際、粘着テープ保持体４に保持された粘着テープ２の端部を切り裂き糸供給手段６のガイド体２５Ａ、２５Ｂの外周部までもってくるとともに、該ガイド体２５Ａ、２５Ｂの隙間２３から外方に突出させた切り裂き糸５を粘着面２ａに貼り付けて、該切り裂き糸５が貼り付けられた粘着テープ２Ａの端部を第２のガイド孔形成手段１５の側に位置するようにもってくる。
【００１７】
次に、例えば、図１３に示すように、粘着テープ２Ａの端部を何らかの対象物に仮止めした状態あるいは手で持った状態で、カッター部１０を押し圧して粘着テープ２Ａを切断する。このような作業を行うと、粘着テープ２Ａの切断部は、つまみ片形成カッター２８によって切り裂き糸５が供給された中央部寄りの４箇所に、該粘着テープ２Ａの繰り出し方向および巻き回り方向に切り欠き９が切り込まれる。この切り欠き９によって、図１６に示すように、つまみ片７、８が形成される。
【００１８】
また、この粘着テープ２Ａの切断作業を行う際は、該粘着テープ２Ａをカッター部１０に押し圧することで、押し圧部材３１の上端部が下方に回動するように作用し、この作用に伴って、第１のガイド孔形成手段１２の弾性体３２の先端部が下方に回動される。これにより、該弾性体３２の先端部に取り付けられたカッター３３が第１の切り裂き用のガイド孔１１、１１を切り込むことができる。
このような作業によって、市販の粘着テープ２の端部に一方のつまみ片７および該つまみ片７の近傍に第１の切り裂き用のガイド孔１１、１１を形成した状態にセッティングしてから使用を開始する。
【００１９】
次に、ダンボール箱４０を閉じる場合は、図１８に示すように、端部につまみ片７が形成された粘着テープ２Ａを、該ダンボール箱４０の閉じる部位の始点に貼り付けて粘着テープ保持体４を引っ張るようにして繰り出す。そして、終点箇所に到達したところで、まず、図１５に示すように、押し圧部材３１を粘着テープ２Ａに押し付けながら第２のガイド孔形成手段１５のカッター３６で第２の切り裂き用のガイド孔１３、１３、１３、１３を切り込んでから、前記セッティング作業と同様の切断作業および第１の切り裂き用のガイド孔１１、１１の切り込みを行う。
【００２０】
また、ダンボール箱の角部等に粘着テープ２Ａを十字状等に重ね貼りする場合は、図２０に示すように、重ねる粘着テープ２Ａの任意の途中部位、本実施の形態では、重ねられる粘着テープ２Ａの切り裂き糸５が配された部位と対応する部位に、第３の切り裂き用のガイド孔１４、１４、１４、１４を切り込むことによって、図２１に示すように、最初に重ねた粘着テープ２Ａの切り裂きを行った後に重ねられた粘着テープ２Ａのつまみ片７（８）をつまんで効率よく切り裂き作業を行うことができる。
【００２１】
このような本発明の粘着テープカッター１を用いることにより、ダンボール箱４０を開ける際は、粘着テープ２Ａの両端部に形成されたつまみ片７、８をつまんで上方に持ち上げるようにして該粘着テープ２Ａを切り裂いて開口することができる。したがって、簡易に開口することができる。なお、一方のつまみ片７（８）のみをつまんで開口することも可能である。
【００２２】
【発明の異なる実施の形態】
次に、図２２ないし図２７に示す本発明の異なる実施の形態について説明する。なお、これらの本発明の異なる実施の形態の説明に当って、前記本発明の第１の実施の形態と同一構成部分には同一符号を付して重複する説明を省略する。
【００２３】
図２２ないし図２４に示す本発明の第２の実施の形態において、前記本発明の第１の実施の形態と主に異なる点は、第１のガイド孔形成手段１２および第２のガイド孔形成手段１５を構成しないで粘着テープカッター１Ａを構成した点で、このように構成された粘着テープカッター１Ａにしてもよい。
【００２４】
図２５ないし図２７に示す本発明の第３の実施の形態において、前記本発明の第２の実施の形態と主に異なる点は、ダンボール箱の封緘機となる構造物４１のダンボール箱排出側上方部位に、上下方向に移動可能な昇降装置４２を解して、テープ保持体４Ａの前方側が上下方向に回動可能となるように取り付けられた点で、このように構成された粘着テープカッター１Ｂにしても前記本発明の第２の実施の形態と同様の作用効果が得られるとともに、ダンボール箱を自動的に封緘する封緘機のテーピング手段として効果的に用いることができる。なお、本発明の実施の形態では、粘着テープカッター１Ｂをダンボール箱の封緘機のテーピング手段に用いるものについて説明したが、本発明はこれに限らず、蓋付きの缶箱を封緘する封緘機等におけるテーピング手段に用いてもよい。
【００２５】
なお、本発明の各実施の形態において、前記第１のガイド孔形成手段１２および第２のガイド孔形成手段１５で用いられるカッター３４、３７は隙歯状に形成されたものについて説明したが、本発明はこれに限らず、例えば、櫛歯状等に形成されたもので構成してもよい。
【００２６】
【発明の効果】
以上の説明から明らかなように、本発明にあっては次に列挙する効果が得られる。
【００２７】
（１）粘着テープを回転可能に取り付けることができる粘着テープ保持体と、この粘着テープ保持体に設けられた、粘着テープの繰り出し方向の粘着面に切り裂き用の糸を供給することができる切り裂き糸供給手段と、この切り裂き糸供給手段から供給された切り裂き糸を貼り付けた粘着テープを切断することができるとともに、該粘着テープの切断部のうち、前記切り裂き糸が貼り付けられた部分につまみ片となるように切り込みを入れることができるカッター部とからなるので、使用時は、粘着面に切り裂き糸が供給された粘着テープをダンボール箱等に貼り付けて封緘することができるとともに、該粘着テープの両端部にはつまみ片を形成することができる。
したがって、前記切り裂き糸が供給された粘着テープで封緘されたダンボール箱等を開ける場合は、つまみ片をつまんで該粘着テープを切り裂くことができるので、簡易に開けることができる。
【００２８】
（２）前記（１）によって、従来の粘着テープカッターによる粘着テープの切断作業と同じ様な状態で行うことができるので、誰もが簡易に取り扱うことができる。
【００２９】
（３）前記（１）によって、構成が簡易であるので、容易に実施することができる。
【００３０】
（４）請求項２も前記（１）〜（３）と同様の効果が得られるとともに、第１のガイド孔形成手段および第２のガイド孔形成手段によって、切り裂き糸が貼り付けられた粘着テープのつまみ片形成部位の近傍に所定部位で切り裂きを行うための切り裂き用のガイド孔を形成することができる。
したがって、より確実に切り裂き作業を行うことができる。
【００３１】
（５）前記（４）によって、第２のガイド孔形成手段によると、切り裂き糸が貼り付けられた粘着テープを十字状等に重ね貼りする場合、第２の切り裂き用のガイド孔を切り込む前に、重ねられる粘着テープの切り裂き糸が貼り付けられた部位と対応する部位に第３の切り裂き用のガイド孔を切り込むことができるので、粘着テープが重なっていても効率よく切り裂くことができる。
【図面の簡単な説明】
【図１】本発明の第１の実施の形態の正面図。
【図２】本発明の第１の実施の形態の背面図。
【図３】本発明の第１の実施の形態の側面図。
【図４】本発明の第１の実施の形態の平面図。
【図５】本発明の第１の実施の形態の底面図。
【図６】側部カバー体を省略した状態の一部破断側面図。
【図７】本発明の第１の実施の形態の切り裂き糸供給手段の分解斜視図。
【図８】切り裂き糸の供給状態を示す説明図。
【図９】本発明の第１の実施の形態のカッター部の正面図。
【図１０】本発明の第１の実施の形態のカッター部の平面図。
【図１１】本発明の第１の実施の形態の第１のガイド孔形成手段の正面図。
【図１２】本発明の第１の実施の形態の第１のガイド孔形成手段の平面図。
【図１３】切り裂き糸が貼り付けられた粘着テープの切断時の説明図。
【図１４】本発明の第１の実施の形態の第２のガイド孔形成手段の説明図。
【図１５】第１の切り裂き用のガイド孔の形成時の説明図。
【図１６】切り裂き糸が貼り付けられた粘着テープの切断された状態の平面図。
【図１７】図１６の１７−１７線に沿う拡大断面図。
【図１８】ダンボール箱を封緘する作業を示す説明図。
【図１９】ダンボール箱を開ける作業を示す説明図。
【図２０】第３の切り裂き用のガイド孔を切り込む状態の説明図。
【図２１】ダンボール箱を開ける作業を示す説明図。
【図２２】本発明の第２の実施の形態の正面図。
【図２３】本発明の第２の実施の形態の側面図。
【図２４】切り裂き糸が貼り付けられた粘着テープの切断された状態の平面図。
【図２５】本発明の第３の実施の形態の正面図。
【図２６】本発明の第３の実施の形態の側面図。
【図２７】切り裂き糸が貼り付けられた粘着テープの切断時の説明図。
【符号の説明】
１、１Ａ、１Ｂ：粘着テープカッター、
２、２Ａ：粘着テープ、        ３：保持部、
４：粘着テープ保持体、        ５：切り裂き糸、
６：切り裂き糸供給手段、      ７：一方のつまみ片、
８：他方のつまみ片、          ９：切り込み、
１０：カッター部、            １１：第１の切り裂き用のガイド孔、
１２：第１のガイド孔形成手段、１３：第２の切り裂き用のガイド孔、
１４：第３の切り裂き用のガイド孔、
１５：第２のガイド孔形成手段、１６：ベース体、
１７：支持体、                １８：側部カバー板、
１９：ガイドローラー、        ２０：ガイド片、
２１：軸、                    ２２：ボビンケース、
２３：隙間、                  ２４：複数の凹凸部、
２５Ａ、２５Ｂ：ガイド体、    ２６：カバー体、
２７：支持カバー板、          ２８：つまみ片形成カッター、
２９：カッター、              ３０：支持バー、
３１：押し圧部材、            ３２：弾性体、
３３：カッター、              ３４：スプリング、
３５：カッター保持体、        ３６：カッター、
３７：押し圧部材本体、        ３８：押し圧片、
３９：ストッパー片、          ４０：ダンボール箱、
４１：構造物、                ４２：昇降装置。
【図１】
2006117327.tif 000003
【図２】
2006117327.tif 000004
【図３】
2006117327.tif 000005
【図４】
2006117327.tif 000006
【図５】
2006117327.tif 000007
【図６】
2006117327.tif 000008
【図７】
2006117327.tif 000009
【図８】
2006117327.tif 000010
【図９】
2006117327.tif 000011
【図１０】
2006117327.tif 000012
【図１１】
2006117327.tif 000013
【図１２】
2006117327.tif 000014
【図１３】
2006117327.tif 000015
【図１４】
2006117327.tif 000016
【図１５】
2006117327.tif 000017
【図１６】
2006117327.tif 000018
【図１７】
2006117327.tif 000019
【図１８】
2006117327.tif 000020
【図１９】
2006117327.tif 000021
【図２０】
2006117327.tif 000022
【図２１】
2006117327.tif 000023
【図２２】
2006117327.tif 000024
【図２３】
2006117327.tif 000025
【図２４】
2006117327.tif 000026
【図２５】
2006117327.tif 000027
【図２６】
2006117327.tif 000028
【図２７】
2006117327.tif 000029